(57)【要約】【課題】  ＣＰＵに負荷を最小限に留めると共に，ユーザにストレスを与えることなく動画像を切り替えることが可能な動画像再生装置等を提供する。【解決手段】  少なくとも動画像を表示する動画像表示領域を有する画像を表示する表示手段と，複数の動画像データが格納されている動画像データ記憶手段と，動画像データを動画像データ記憶手段から読み出して再生処理する動画像データ再生処理手段と，先に表示されている先の動画像から後続の後続の動画像に切り替えを指示する動画像切替指示手段と，動画像切替指示手段の指示に従って，先の動画像から後続の動画像への切り換えを実行する制御手段と，を具備しており，制御手段は，動画像再生処理手段による後続の動画像データの再生処理が終了する迄の間（動画像データの再生画像が実際に表示開始される迄の間），先の動画像を停止して動画像表示領域の明度を所定時間をかけて黒色画像となるまで低下させる。【選択図】  図１
2005351991.tif 000002
【特許請求の範囲】
【請求項１】
少なくとも動画像を表示する動画像表示領域を有するコンテンツ画像を表示する表示手段と，
複数の動画像データが格納されている動画像データ記憶手段と，
前記動画像データを前記動画像データ記憶手段から読み出して再生処理する動画像データ再生処理手段と，
先に表示されている第１の動画像から後続の第２の動画像に切り替えを指示する動画像切替指示手段と，
前記動画像切替指示手段の指示に従って，前記第１の動画像から前記第２の動画像への切り換えを実行する制御手段と，を具備しており，
前記制御手段は，前記動画像再生処理手段による第２の動画像データの再生画像が実際に表示開始される迄の間，前記第１の動画像を停止して前記動画像表示領域の明度を所定時間をかけて黒色画像となるまで低下させる，
ことを特徴とする動画像再生装置。
【請求項２】
少なくとも動画像を表示する動画像表示領域を有するコンテンツ画像を表示する表示手段と，
複数の動画像データが格納されている動画像データ記憶手段と，
前記動画像データを前記動画像データ記憶手段から読み出して再生処理する動画像データ再生処理手段と，
少なくとも１以上の静止画像データを記憶する静止画像記憶手段と，
先に表示されている第１の動画像から後続の第２の動画像に切り替えを指示する動画像切替指示手段と，
前記動画像切替指示手段の指示に従って，前記第１の動画像から第２の動画像への切り換えを実行する制御手段と，を具備しており，  
前記制御手段は，前記動画像再生処理手段による第２の動画像データの再生画像が実際に表示開始される迄の間，前記第１の動画像を停止して前記動画像表示領域に前記静止画像を表示させる，
ことを特徴とする動画像再生装置。
【請求項３】
前記静止画像データは，前記第２の動画像に各々対応するように予め割り当てられている，ことを特徴とする請求項２に記載の動画像再生装置。
【請求項４】
前記静止画像データは，前記第２の動画像の初期画面からなる，ことを特徴とする請求項３に記載の動画像再生装置。
【請求項５】
少なくとも動画像を表示する動画像表示領域を有するコンテンツ画像を表示する表示手段と，
複数の動画像データが格納されている動画像データ記憶手段と，
前記動画像データを前記動画像データ記憶手段から読み出して再生処理する動画像データ再生処理手段と，
前記動画像表示領域に表示されている動画像から静止画像を取得する静止画像取得手段と，
先に表示されている第１の動画像から後続の第２の動画像に切り替えを指示する動画像切替指示手段と，
前記動画像切替指示手段の指示に従って，前記第１の動画像から第２の動画像への切り換えを実行する制御手段と，を具備しており，  
前記制御手段は，前記動画像再生処理手段による第２の動画像データの再生画像が実際に表示開始される迄の間，前記第１の動画像を停止して取得した静止画像を前記動画像表示領域に表示させる，
ことを特徴とする動画再生装置。
【請求項６】
前記制御手段は，前記第１の動画像が表示されていた動画像表示領域が前記表示手段から所定時間で徐々に抜け出すのに連動させて，前記第２の動画像を表示する動画像表示領域が表示手段に入り込むように動画像を切り替える，
ことを特徴とする請求項１，２，３，４あるいは５項のうちいずれか１項に記載の動画像再生装置。
【請求項７】
前記制御手段は，前記第１の動画像を表示する動画像表示領域，あるいは，前記第２の動画像を表示する動画像表示領域は，その大きさ，あるいはその表示位置のうち少なくともいずれか一つを変動させながら動画像を切り替える，ことを特徴とする請求項６に記載の動画像再生装置。
【請求項８】
少なくとも動画像を表示する動画像表示領域を有するコンテンツ画像を表示する表示手段と，複数の動画像データが格納されている動画像データ記憶手段と，前記動画像データを前記動画像データ記憶手段から読み出して再生処理する動画像データ再生処理手段と，先に表示されている第１の動画像から後続の第２の動画像に切り替えを指示する動画像切替指示手段と，前記動画像切替指示手段の指示に従って，前記第１の動画像から第２の動画像への切り換えを実行する制御手段と，を具備する動画再生装置において，
前記動画像切替指示手段から動画像の切り替えの指示があった場合に，
前記制御手段は，前記動画像再生処理手段による第２の動画像データの再生画像が実際に表示開始される迄の間，前記第１の動画像を停止して前記動画像表示領域の明度を所定時間をかけて黒色画像となるまで低下させる，
ことを特徴とする動画像再生方法。
【請求項９】
少なくとも動画像を表示する動画像表示領域を有する画像を表示する表示手段と，複数の動画像データが格納されている動画像データ記憶手段と，前記動画像データを前記動画像データ記憶手段から読み出して再生処理する動画像データ再生処理手段と，少なくとも１以上の静止画像データを記憶する静止画像記憶手段と，先に表示されている第１の動画像から後続の第２の動画像に切り替えを指示する動画像切替指示手段と，前記動画像切替指示手段の指示に従って，前記第１の動画像から第２の動画像への切り換えを実行する制御手段と，を具備する動画像再生装置において，
前記動画像切替指示手段から動画像の切り替えの指示があった場合に，
前記制御手段は，前記動画像再生処理手段による第２の動画像データの再生画像が実際に表示開始される迄の間，前記第１の動画像を停止して前記動画像表示領域に前記静止画像を表示させる，
ことを特徴とする動画像再生方法。
【請求項１０】
前記静止画像データは，前記第２の動画像に各々対応するように予め割り当てられている，ことを特徴とする請求項９に記載の動画像再生装置。
【請求項１１】
前記静止画像データは，前記第２の動画像の初期画面からなる，ことを特徴とする請求項１０に記載の動画像再生方法。
【請求項１２】
少なくとも動画像を表示する動画像表示領域を有するコンテンツ画像を表示する表示手段と，複数の動画像データが格納されている動画像データ記憶手段と，前記動画像データを前記動画像データ記憶手段から読み出して再生処理する動画像データ再生処理手段と，前記動画像表示領域に表示されている動画像から静止画像を取得する静止画像取得手段と，先に表示されている第１の動画像から後続の第２の動画像に切り替えを指示する動画像切替指示手段と，前記動画像切替指示手段の指示に従って，前記第１の動画像から第２の動画像への切り換えを実行する制御手段と，を具備する動画像再生装置において，
前記動画像切替指示手段から動画像の切り替えの指示があった場合に，
前記制御手段は，前記動画像再生処理手段による第２の動画像データの再生画像が実際に表示開始される迄の間，前記第１の動画像を停止して取得した静止画像を前記動画像表示領域に表示させる，ことを特徴とする動画像再生方法。
【請求項１３】
前記制御手段は，前記第１の動画像が表示されていた動画像表示領域が前記表示手段から所定時間で徐々に抜け出すのに連動させて，前記第２の動画像を表示する動画像表示領域が表示手段に入り込むように動画像を切り替える，
ことを特徴とする請求項９，１０，１１あるいは１２項のうちいずれか１項に記載の動画像再生方法。
【請求項１４】
前記制御手段は，前記第１の動画像を表示する動画像表示領域，あるいは，前記第２の動画像を表示する動画像表示領域は，その大きさ，あるいはその表示位置のうち少なくともいずれか一つを変動させながら動画像を切り替える，ことを特徴とする請求項１３に記載の動画像再生方法。
【請求項１５】
コンピュータに対し，
少なくとも動画像を表示する動画像表示領域を有するコンテンツ画像を表示する表示手段と，
複数の動画像データが格納されている動画像データ記憶手段と，
前記動画像データを前記動画像データ記憶手段から読み出して再生処理する動画像データ再生処理手段と，
先に表示されている第１の動画像から後続の第２の動画像に切り替えを指示する動画像切替指示手段と，
前記動画像切替指示手段の指示に従って，前記第１の動画像から第２の動画像への切り換えを実行する制御手段であって，前記動画像再生処理手段による第２の動画像データの再生画像が実際に表示開始される迄の間，前記第１の動画像を停止して前記動画像表示領域の明度を所定時間をかけて黒色画像となるまで低下させる前記制御手段と，
して機能させるためのプログラム。
【請求項１６】
コンピュータに対し，
少なくとも動画像を表示する動画像表示領域を有するコンテンツ画像を表示する表示手段と，
複数の動画像データが格納されている動画像データ記憶手段と，
前記動画像データを前記動画像データ記憶手段から読み出して再生処理する動画像データ再生処理手段と，
先に表示されている第１の動画像から後続の第２の動画像に切り替えを指示する動画像切替指示手段と，
前記動画像切替指示手段の指示に従って，前記第１の動画像から第２の動画像への切り換えを実行する制御手段であって，前記動画像再生処理手段による第２の動画像データの再生画像が実際に表示開始される迄の間，前記第１の動画像を停止して前記動画像表示領域の明度を所定時間をかけて黒色画像となるまで低下させる前記制御手段と，
して機能させるためのプログラムを記録したコンピュータ読み取り可能な記録媒体。
【発明の詳細な説明】
【技術分野】
【０００１】
本発明は，動画像再生装置，動画像再生方法，プログラム及びその記録媒体に関し，さらに詳細には，動画像を切り替え可能な動画像再生装置等に関する。
【背景技術】
【０００２】
従来においては，複数の静止画のページを捲ることにより，静止画を連続再生する画像処理装置が開示されている（例えば，特許文献１参照）。上記特許文献１では，オブジェクトが配置された画面上の配置位置に応じて，オブジェクトに含まれる実際に表示する表示オブジェクトを選択して配置することができる。例えば，新聞記事などの静止画像を「前に戻る／先に進む」のカーソルを操作して，複数のオブジェクトから構成される新聞イメージを閲覧することができる。
【０００３】
一方，近年においては，例えばパーソナルコンピュータ上で複数の動画像を切り替えて連続再生することが行われている。この場合には，まず，先の第１の動画像が表示画面の所定の表示位置に画像が再生されている場合に，所定の動画像変更命令があると，後続の第２の動画像のデコードがデコーダにより開始されて，再生の準備が整い次第，第２の動画像が第１の動画像に変わって再生される。
【０００４】
【特許文献１】特開平８−７９１９７号公報
【発明の開示】
【発明が解決しようとする課題】
【０００５】
しかしながら，複数の動画像を連続再生する場合には，上記特許文献１のような静止画の連続再生と比較して，動画像の切り替え時に，ＣＰＵの負荷が過大になる，という問題がある。
【０００６】
一方，例えば，パーソナルコンピュータ上で再生されている動画像を切り替える場合には，画面上で空白時間が発生してしまうため，ユーザに不快感を与える，という問題がある。さらに，例えばパーソナルコンピュータの画面上で，例えば先の動画像と後続の動画像の２つの動画像が移動しながら動画像が切り替えたり，あるいは，動画像の画枠を縮小や拡大を繰り返すなどして，動画像の切り替えの間に動的要素を加えてユーザの不快感を解消しようとすると，ＣＰＵの負荷が非常に高くなる，という問題がある。
【０００７】
したがって，本発明の目的は，ＣＰＵに負荷を最小限に留めて，ユーザに不快感を与えることなく動画像を切り替えることが可能な新規かつ改良された動画像再生装置等を提供することにある。
【課題を解決するための手段】
【０００８】
上記課題を解決するため，本発明の第１の観点においては，少なくとも動画像を表示する動画像表示領域を有するコンテンツ画像を表示する表示手段と，複数の動画像データが格納されている動画像データ記憶手段と，前記動画像データを前記動画像データ記憶手段から読み出して再生処理する動画像データ再生処理手段と，先に表示されている第１の動画像から後続の第２の動画像に切り替えを指示する動画像切替指示手段と，前記動画像切替指示手段の指示に従って，前記第１の動画像から第２の動画像への切り換えを実行する制御手段と，を具備しており，前記制御手段は，前記動画像再生処理手段による第２の動画像データの再生画像が実際に表示開始される迄の間，前記第１の動画像を停止して前記動画像表示領域の明度を所定時間をかけて黒色画像となるまで低下させる，ことを特徴とする動画像再生装置が提供される。
【０００９】
上記記載の発明では，ＣＰＵに負荷を最小限に留めると共に，視覚効果によってユーザに対して不快感を与えることがなく，先の動画像から後続の動画像に切り替えることができる。即ち，先の動画像から後続の動画像に切り替える際には，先の動画像と後続の動画像とを併存させながら，継ぎ目のない画像の切り替えが行われるので，例えばコンピュータの表示画面上の表示品質を向上することができる。
【００１０】
上記課題を解決するため，本発明の第２の観点においては，少なくとも動画像を表示する動画像表示領域を有するコンテンツ画像を表示する表示手段と，複数の動画像データが格納されている動画像データ記憶手段と，前記動画像データを前記動画像データ記憶手段から読み出して再生処理する動画像データ再生処理手段と，少なくとも１以上の静止画像データを記憶する静止画像記憶手段と，先に表示されている第１の動画像から後続の第２の動画像に切り替えを指示する動画像切替指示手段と，前記動画像切替指示手段の指示に従って，前記第１の動画像から第２の動画像への切り換えを実行する制御手段と，を具備しており，前記制御手段は，前記動画像再生処理手段による第２の動画像データの再生画像が実際に表示開始される迄の間，前記第１の動画像を停止して前記動画像表示領域に前記静止画像を表示させる，ことを特徴とする動画像再生装置が提供される。
【００１１】
上記記載の発明では，動画像を切り替える際には，予め設定された静止画像が表示されて，先の動画像と後続の動画像とを切り替えるので，動画像切り替えの際におけるＣＰＵの負荷が軽減される。また，視覚効果がより高められるので，ユーザに対して不快感を与えることがなく，先の動画像から後続の動画像に切り替えることができる。
【００１２】
また，前記静止画像データは，前記動画像データに各々対応するように予め割り当てられている，如く構成すれば，後続の動画像が表示されるまでの間，当該動画像に予め割り当てられた好適な静止画像が表示される。この結果，より効果的にユーザの不快感を解消することができる。
【００１３】
また，前記静止画像データは，前記第２の動画像の初期画面からなる，如く構成すれば，ユーザが次に閲覧する動画像が表示されるので，さらに効果的にユーザの不快感を解消することができる。
【００１４】
上記課題を解決するため，本発明の第３の観点においては，少なくとも動画像を表示する動画像表示領域を有するコンテンツ画像を表示する表示手段と，複数の動画像データが格納されている動画像データ記憶手段と，前記動画像データを前記動画像データ記憶手段から読み出して再生処理する動画像データ再生処理手段と，前記動画像表示領域に表示されている動画像から静止画像を取得する静止画像取得手段と，先に表示されている第１の動画像から後続の第２の動画像に切り替えを指示する動画像切替指示手段と，前記動画像切替指示手段の指示に従って，前記第１の動画像から第２の動画像への切り換えを実行する制御手段と，を具備しており，前記制御手段は，前記動画像再生処理手段による第２の動画像データの再生画像が実際に表示開始される迄の間，前記第１の動画像を停止して取得した静止画像を前記動画像表示領域に表示させる，ことを特徴とする動画再生装置が提供される。
【００１５】
上記記載の発明では，ボタン押下時の動画像をキャプチャーして，その静止画を用いることができる。即ち，後続の動画像がデコードされて表示が可能とされるまでの間，先の動画像を静止画として表示することにより，先の動画像と後続の動画像とを併存させながら継ぎ目のない画像の切り替えを行うことができ，表示品質を向上することができる。この結果，視覚効果によってユーザに対して不快感を与えることがなく，先の動画像から後続の動画像に切り替えることができる。
【００１６】
また，前記制御手段は，前記第１の動画像が表示されていた動画像表示領域が前記表示手段から所定時間で徐々に抜け出すのに連動させて，前記第２の動画像を表示する動画像表示領域が表示手段に入り込むように動画像を切り替える，如く構成すれば，表示画面には動的要素が加わるので，より効果的にユーザの不快感を解消することができる。
【００１７】
また，前記制御手段は，前記第１の動画像を表示する動画像表示領域，あるいは，前記第２の動画像を表示する動画像表示領域は，その大きさ，あるいはその表示位置のうち少なくともいずれか一つを変動させながら動画像を切り替える，如く構成すれば，表示画面には，さらに動的要素が加わるので，より効果的にユーザの不快感を解消することができる。
【００１８】
上記課題を解決するため，本発明の第４の観点においては，少なくとも動画像を表示する動画像表示領域を有するコンテンツ画像を表示する表示手段と，複数の動画像データが格納されている動画像データ記憶手段と，前記動画像データを前記動画像データ記憶手段から読み出して再生処理する動画像データ再生処理手段と，先に表示されている第１の動画像から後続の第２の動画像に切り替えを指示する動画像切替指示手段と，前記動画像切替指示手段の指示に従って，前記第１の動画像から第２の動画像への切り換えを実行する制御手段と，を具備する動画再生装置において，前記動画像切替指示手段から動画像の切り替えの指示があった場合に，前記制御手段は，前記動画像再生処理手段による第２の動画像データの再生画像が実際に表示開始される迄の間，前記第１の動画像を停止して前記動画像表示領域の明度を所定時間をかけて黒色画像となるまで低下させる，ことを特徴とする動画像再生方法が提供される。
【００１９】
上記課題を解決するため，本発明の第５の観点においては，少なくとも動画像を表示する動画像表示領域を有するコンテンツ画像を表示する表示手段と，複数の動画像データが格納されている動画像データ記憶手段と，前記動画像データを前記動画像データ記憶手段から読み出して再生処理する動画像データ再生処理手段と，少なくとも１以上の静止画像データを記憶する静止画像記憶手段と，先に表示されている第１の動画像から後続の第２の動画像に切り替えを指示する動画像切替指示手段と，前記動画像切替指示手段の指示に従って，前記第１の動画像から第２の動画像への切り換えを実行する制御手段と，を具備する動画像再生装置において，前記動画像切替指示手段から動画像の切り替えの指示があった場合に，前記制御手段は，前記動画像再生処理手段による第２の動画像データの再生画像が実際に表示開始される迄の間，前記第１の動画像を停止して前記動画像表示領域に前記静止画像を表示させる，ことを特徴とする動画像再生方法が提供される。
【００２０】
上記記載の発明では，動画像を切り替える際には，予め設定された静止画像が表示されて，先の動画像と後続の動画像画像とを切り替えるので，動画像切り替えの際におけるＣＰＵの負荷が軽減される。また，視覚効果がより高められるので，ユーザに対して不快感を与えることがなく，先の動画像から後続の動画像に切り替えることができる。
【００２１】
また，前記静止画像データは，前記第２の動画像に各々対応するように予め割り当てられている，如く構成すれば，後続の動画像が表示されるまでの間，当該動画像に予め割り当てられた好適な静止画像が表示される。この結果，より効果的にユーザの不快感を解消することができる。
【００２２】
また，前記静止画像データは，前記第２の動画像の初期画面からなる，如く構成すれば，ユーザが次に閲覧する動画像が表示されるので，さらに効果的にユーザの不快感を解消することができる。
【００２３】
上記課題を解決するため，本発明の第６の観点においては，少なくとも動画像を表示する動画像表示領域を有するコンテンツ画像を表示する表示手段と，複数の動画像データが格納されている動画像データ記憶手段と，前記動画像データを前記動画像データ記憶手段から読み出して再生処理する動画像データ再生処理手段と，前記動画像表示領域に表示されている動画像から静止画像を取得する静止画像取得手段と，先に表示されている第１の動画像から後続の第２の動画像に切り替えを指示する動画像切替指示手段と，前記動画像切替指示手段の指示に従って，前記第１の動画像から第２の動画像への切り換えを実行する制御手段と，を具備する動画像再生装置において，前記動画像切替指示手段から動画像の切り替えの指示があった場合に，前記制御手段は，前記動画像再生処理手段による第２の動画像データの再生画像が実際に表示開始される迄の間，前記第１の動画像を停止して取得した静止画像を前記動画像表示領域に表示させる，ことを特徴とする動画像再生方法が提供される。
【００２４】
上記記載の発明では，ボタン押下時の動画像をキャプチャーして，その静止画を用いることができる。即ち，後続の動画像がデコードされて表示が可能とされるまでの間，先の動画像を静止画として表示することにより，先の動画像と後続の動画像とを併存させながら継ぎ目のない画像の切り替えを行うことができ，表示品質を向上することができる。この結果，視覚効果によってユーザに対して不快感を与えることがなく，先の動画像から後続の動画像に切り替えることができる。
【００２５】
また，前記制御手段は，前記第１の動画像が表示されていた動画像表示領域が前記表示手段から所定時間で徐々に抜け出すのに連動させて，前記第２の動画像を表示する動画像表示領域が表示手段に入り込むように動画像を切り替える，如く構成すれば，表示画面には動的要素が加わるので，より効果的にユーザの不快感を解消することができる。
【００２６】
また，前記制御手段は，前記第１の動画像を表示する動画像表示領域，あるいは，前記第２の動画像を表示する動画像表示領域は，その大きさ，あるいはその表示位置のうち少なくともいずれか一つを変動させながら動画像を切り替える，如く構成すれば，表示画面には，さらに動的要素が加わるので，より効果的にユーザの不快感を解消することができる。
【００２７】
上記課題を解決するため，本発明の第７の観点においては，コンピュータに対し，少なくとも動画像を表示する動画像表示領域を有するコンテンツ画像を表示する表示手段と，複数の動画像データが格納されている動画像データ記憶手段と，前記動画像データを前記動画像データ記憶手段から読み出して再生処理する動画像データ再生処理手段と，先に表示されている第１の動画像から後続の第２の動画像に切り替えを指示する動画像切替指示手段と，前記動画像切替指示手段の指示に従って，前記第１の動画像から第２の動画像への切り換えを実行する制御手段であって，前記動画像再生処理手段による第２の動画像データの再生画像が実際に表示開始される迄の間，前記第１の動画像を停止して前記動画像表示領域の明度を所定時間をかけて黒色画像となるまで低下させる前記制御手段と，して機能させるためのプログラムが提供される。
【００２８】
上記課題を解決するため，本発明の第８の観点においては，コンピュータに対し，少なくとも動画像を表示する動画像表示領域を有するコンテンツ画像を表示する表示手段と，複数の動画像データが格納されている動画像データ記憶手段と，前記動画像データを前記動画像データ記憶手段から読み出して再生処理する動画像データ再生処理手段と，先に表示されている第１の動画像から後続の第２の動画像に切り替えを指示する動画像切替指示手段と，前記動画像切替指示手段の指示に従って，前記第１の動画像から第２の動画像への切り換えを実行する制御手段であって，前記動画像再生処理手段による第２の動画像データの再生画像が実際に表示開始される迄の間，前記第１の動画像を停止して前記動画像表示領域の明度を所定時間をかけて黒色画像となるまで低下させる前記制御手段と，して機能させるためのプログラムを記録したコンピュータ読み取り可能な記録媒体が提供される。
【発明の効果】
【００２９】
本発明では，ＣＰＵに負荷を最小限に留めると共に，視覚効果によってユーザに対して不快感を与えることがなく，先の動画像から後続の動画像に切り替えることができる。即ち，先の動画像から後続の動画像に切り替える際には，先の動画像と後続の動画像とを併存させながら，継ぎ目のない画像の切り替えが行われるので，例えばコンピュータの表示画面上の表示品質を向上することができる。
【発明を実施するための最良の形態】
【００３０】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００３１】
（第１の実施の形態）
まず，図１に基づいて，第１の実施の形態にかかる動画像再生装置１０の構成について説明する。なお，図１は，第１の実施の形態にかかる動画像再生装置１０の構成を示すブロック図である。
【００３２】
まず，図１に示すように，本実施形態にかかる動画像再生装置１０は，動画像を提供する動画像提供サーバ装置との通信を制御する通信制御装置１１０，動画像提供サーバ装置（図示せず）から送信された動画像コンテンツを表示する表示手段（ディスプレイ）１２０，動画像再生装置の全体制御を実行するＣＰＵ１３０，動画像再生装置１０の各種操作をするための操作手段１４０，動画像サーバ装置から送信された動画像データを記憶するための動画像データ記憶手段１５０，動画像データをデコードするためのデコーダ１６０，動画像データを読み出すための動画像データ読出手段１７０，動画像表示位置や大きさなどの制御を行うための表示制御手段１８０，などから構成される。
【００３３】
通信制御装置１１０は，動画像を提供する動画像提供サーバとの通信を実行する装置である。なお，本実施形態においては，動画像提供サーバから動画像コンテンツを取得する構成を例に挙げて説明するが，本発明は，例えばＤＶＤなどの各種記録媒体や，予め動画像データを取得してハードディスクに格納されている場合においても実施することができる。
【００３４】
表示手段（ディスプレイ）１２０は，再生される動画像を表示する手段である。ユーザが操作手段１４０を操作して動画像を切り換えた場合には，先の動画像から，後続の動画像が連続再生されて表示される。なお，本実施形態においては，先の動画像から後続の動画像に切り替えられる際には，表示画面中の明度が徐々に低下して黒画面が表示された後，後続の動画像が表示される。このように，先の動画像から後続の動画像から，継ぎ目のない画像の切り替えが行われるので，ユーザにストレスを与えることがない。
【００３５】
ＣＰＵ１３０は，動画像再生装置１０の全体制御を実行する。本実施形態においては，動画像の切り替え時には，動画像の停止と略同時に表示手段１２０の明度を徐々に下げて，黒画像を表示させた後，後続の動画像が再生するように制御を実行する。このように，動画像の切り替え時には，後続の動画像の再生処理（主として，デコード）が終了するまで，徐々に黒色画像に移行させるので，ＣＰＵの負荷を軽減することができると共に，画面上には動的要素が加えられるのでユーザに対してストレスを与えないようにして動画像の切り替えを行うことができる。
【００３６】
操作手段１４０は，ユーザが動画像再生装置１０を操作する（音量，画面の大きさ，動画像の再生，停止等の操作を行う）ための手段であり，例えば，キーボードやマウスなどが含まれる。かかる操作手段１４０の操作により，先の動画像から後続の動画像に切り替える操作が実行される。
【００３７】
動画像データ記憶手段１５０は，動画像サーバ装置から送信された動画像データを記憶するためのものである，ユーザの操作手段に応じて動画像データ読出手段１７０により抽出される。デコーダ１６０は，抽出された動画像データのデコードを実行し，デコードされた動画像の画像データは，動画像表示制御手段１８０により，指定された表示領域に表示される。動画像データ読出手段１７０は，ユーザにより操作手段を介して指定された動画像データを動画像データ記憶手段１５０から同期信号に同期して読み出す手段である。動画像表示制御手段１８０は，再生される動画像を所定の表示位置に出力するように制御する手段である。
【００３８】
本実施形態においては，表示手段に表示された動画像を，後続の動画像に切り替える際に，ＣＰＵの制御により，後続の動画像のデコードが終了するまでの間（後続の動画像の再生の準備が完了するまでの間），先の動画像の再生を停止すると同時に，徐々に明度を０となるようにする。その後，表示画面が黒画面になり，後続の動画像の再生の準備が完了した場合には，後続の動画像を再生する。
【００３９】
このように，本実施形態においては，動画像の切り替えの際には，先の動画像の停止と略同時に，表示画面中の明度が徐々に低下して黒画面が表示された後，後続の動画像に切り替えられるので，ＣＰＵに負荷を与えることなく，かつ視覚効果によってユーザに対して不快感を与えることがない。
【００４０】
次に，図２及び図３に基づいて，本実施形態にかかる動画像再生装置１０の表示手段１２０に表示される動画像コンテンツの画面について説明する。本実施形態にかかる動画像コンテンツの画面は，図２に示すように，表示手段１２０の画枠１２２中に動画像表示領域１２４，ボタン表示領域１２６，左右ボタン（動画像切替指示手段）１２８ａ，１２８ｂなどが表示される。
【００４１】
動画像表示領域１２４は，本実施形態にかかる動画像が表示される領域であり，本実施形態においては，先の動画像として，「オリンピック紹介情報」と題する動画像が再生されている。また，動画像表示領域１２４に表示される動画像は，左右ボタン１２８ａ，ｂを押下することにより，後続の動画像に切り替えが行われる。ボタン表示領域１２６は，各種コンテンツ画面に移行するためのボタンが表示される。左右ボタン１２８ａ，ｂは，後続の動画像に切り替えるためのボタンであり，左ボタン１２８ａを押下すれば，画枠１２４の左側から後続の動画像が挿入され，右ボタン１２８ｂを押下すれば，画枠１２４の右側から後続の動画像が挿入される。例えば，右ボタン１２８ｂを押下すれば，図３に示すように，「世界の車紹介情報」と題する動画像に切り替えられる。
【００４２】
このとき，先の動画像が再生された状態で，動画像が挿入されると，ＣＰＵに多大な負荷がかかることになる。このため，本意実施形態においては，左右ボタンにより動画像切り替えが指示された場合に，後続の動画像（第２の動画像）のデータを読み出してデコード処理している間に，先の動画像（第１の動画像）を停止して動画像表示領域の明度を徐々に低下させて黒色画面にした後，先の動画像から後続の動画像への切り替えを実行して後続の動画像の再生を開始するように構成している。このことにより，本実施形態においては，ＣＰＵに負荷を最小限に留めると共に，視覚効果によってユーザに対して不快感を与えることがなく，先の動画像から後続の動画像に切り替えることができる。
【００４３】
次に，図４に基づいて，第１の実施の形態にかかる動画像再生方法について説明する。なお，図４は，第１の実施の形態にかかる動画像再生方法を示すフローチャートである。本実施形態においては，上記説明した動画像を切り替える場合について説明する。
【００４４】
まず，ステップＳ１００で，ユーザの操作によりアプリケーションを起動して，先の動画像からなる動画像再生画面を表示する（ステップＳ１００）。本実施形態においては，動画像のリスト画面（図示せず）から所望の動画像画面を選択することにより，先の動画像を画面上に表示することができる。このとき，図５に示すように，例えば，「オリンピック紹介情報」と題する動画像が動画像表示領域１２２に表示される。
【００４５】
なお，かかる動画像は，動画像データ読出手段１７０により動画データ記憶手段１５０から読み出されて，デコーダ１６０でデコードされた後，同期信号に同期して再生される。また，読み出した動画像データは，動画表示制御手段１８０により表示画面のサイズを合わせる処理が行われて，所定の表示位置に出力される。
【００４６】
次いで，ステップＳ１０２で，上記動画像が再生されている間に，ユーザにより左右ボタン１２８ａ，ｂが押下される（ステップＳ１０２）。即ち，ユーザが，例えば，右ボタン１２８ｂを押下することにより，後続の動画像（例えば，世界の車紹介情報）に移行するための動画像変更命令がＣＰＵに通知される。なお，動画像切替手段１２８を操作するための操作手段１４０として，キーボード，マウスなどを使用することができる。
【００４７】
その後，ステップＳ１０４で，ユーザにより右ボタン１２８ｂが押下された場合には，動画像表示領域１２４で再生されている動画像を停止して，その明度を０となるまで徐々に（例えば０．５秒程度で）低下させる（ステップＳ１０４）。このように，再生中の動画像を停止させた状態にして，動画像表示領域１２４の画像が真黒になるので，動画像再生ソフトのタスクが残っていても，動画の再生中と比較して，ＣＰＵ１３０に対する負荷は最小限の状態になる。
【００４８】
一方，上記ステップＳ１０４と略同時に，ステップＳ１０６で，上記右ボタン１２８ｂにより指定された後続の動画像（例えば，世界の車紹介情報）の初期画面を用意する（ステップＳ１０６）。即ち，後続の動画像のデータが動画像データ記憶手段１５０から読み出されてデコーダ１６０によるデコードがおこなわれる。
【００４９】
上記ステップＳ１０４及び上記ステップＳ１０６の工程は，図６に示すように，先の動画像（オリンピック紹介情報）は，徐々に黒くなると略同時に，後続の動画像（世界の車紹介情報）が準備される。なお，後続の動画像の画面は，理解を容易にするために，表示手段１２０の右側に示しているが，実際には後続の動画像の画面をデコードしている状態を表している。また，右ボタン１２８ｂを押下することにより，後続の動画像の画面が表示手段１２０の右側から挿入されることも示している。
【００５０】
さらに，ステップＳ１０８で，先の動画像の動画表示領域１２４の明度が０（即ち，真黒）となり，かつ後続の動画像の初期画面の準備が終了したか否かが判断される（ステップＳ１０８）。まだ，第２動画像の初期画面の準備が終了していないと判断される場合には，再度，ステップＳ１０８を繰り返す。
【００５１】
一方，後続の動画像の初期画面の準備が終了したと判断された場合には，ステップＳ１１０で，右ボタン１２８ｂで指定された指定方向（本実施形態においては，左方向）へ画面をスクロールさせる（ステップＳ１１０）。即ち，本実施形態においては，右ボタン１２８ｂを押下すると後続の画像が右側から挿入されるので，先の動画像は左方向にスクロールされる。例えば，図７に示すように，先の動画像の画面と後続の動画像の画面が隣り合って存在している状態から，先の動画像は，左側にスクロールして消滅し，後続の動画像は左側から右側に徐々に（例えば略１秒程度で），先の動画像の画像が移動した画面サイズ分だけ後続の動画像が挿入される。
【００５２】
その後，ステップＳ１１２で，後続の動画像の再生コマンドを発行する（ステップＳ１１２）。即ち，後続の動画像の動画像再生を行うように再生コマンドを発行して，例えば図８に示すように，実際に動画像が再生されるようになるまでの例えば数秒間は，初期画面のままの状態を保つ。なお，後続の動画像を準備する間には，先の動画像が停止されると共に黒色画面に徐々に移行され，画面上が黒色画面になったタイミングで，後続の動画像が再生されるように構成するのが好ましい。このことにより，先の動画像から，後続の動画像に切り替わるまでの間は，ＣＰＵの負荷を最小限に押さえながら，画面自体は動いているので，ユーザの不快感を解消することができる。
【００５３】
ステップＳ１１４で，後続の動画像の再生準備が完了したか否かが判断される（ステップＳ１１４）。即ち，後続の動画像の再生準備が整ったか否かを動画像再生タスクからの割り込みで判断することができる。また，そのような割り込みが用意されていない場合は，動画像切換命令があった後，動画像の再生準備が確実に終了していると考えられる所定時間が経過したか否かを判断することができる。
【００５４】
ステップＳ１１６で，後続の動画像の再生が開始される（ステップＳ１１６）。即ち，図９に示すように，動画像の切り替えが完了すると，先の動画像の場合と同様に，動画像表示制御手段１８０により所定の表示位置にあわせて動画像を出力する。
【００５５】
本実施形態においては，表示部に表示された動画像データを，後続の動画像に切り替える際に，ＣＰＵの制御により，後続の動画像のデコードが終了するまでの間（動画像の再生の準備が完了するまでの間），先の動画像の再生を停止すると同時に，徐々に明度を０となるようにする。表示画面が黒画面になり，後続の動画像の再生の準備が完了した場合には，後続の動画像を再生する。このように，本実施形態においては，動画像の切り替えの際には，先の動画像の停止と略同時に，表示画面中の明度が徐々に低下して黒画面が表示された後，後続の動画像に切り替えられるので，ＣＰＵに負荷を与えることなく，かつ視覚効果によってユーザに対して不快感を与えることがない。なお，上記動画像を再生する方法に置いて，制御装置は，画面を閉じるキーの押下を監視しており，閉じるキーが押下された際には，この動画像再生画面を閉じてアプリケーションを閉じたり，または他の上層ページに遷移することができる。
【００５６】
（第２の実施の形態）
次に，図１０〜図１２に基づいて，第２の実施の形態にかかる動画像再生装置２０の構成について説明する。図１０は，第２の実施の形態にかかる動画像再生装置２０の構成を示すブロック図である。なお，本実施形態にかかる動画像再生装置は，第１の実施の形態にかかる動画像再生装置とは異なり，動画像の切り替え時には，予め設定された静止画像が画面上に表示される。
【００５７】
まず，図１０に示すように，本実施形態にかかる動画像再生装置２０は，動画像を提供する動画像提供サーバ装置（図示せず）との通信を制御する通信制御装置２１０，動画像提供サーバ装置から送信されたコンテンツ（動画像）を表示する表示手段（ディスプレイ）２２０，動画像再生装置２０の全体制御を実行するＣＰＵ２３０，動画像再生装置２０の各種操作をするための操作手段２４０，動画像サーバ装置から送信された動画像データを記憶するための動画像データ記憶手段２５０，動画像データをデコードするためのデコーダ２６０，動画像データを読み出すための動画像データ読出手段２７０，動画像の表示位置や大きさなどの各種制御を行うための動画像表示制御手段２８０，予め取得した１又は２以上の静止画像を記憶する静止画像記憶手段２９０などから構成される。なお，通信制御装置２１０，表示手段（ディスプレイ）２２０，ＣＰＵ２３０，操作手段２４０，動画像データ記憶手段２５０，デコーダ２６０，動画像データ読出手段２７０，動画像表示制御手段２８０については，第１の実施の形態と同様なので，その説明は省略する。
【００５８】
本実施形態にかかる静止画像記憶手段２９０は，先の動画像から後続の動画像に切り替える際に，動画像表示領域に表示することが可能な静止画像が格納されている。例えば，全ての動画像に対して，同一の静止画を表示する場合には，一つの静止画像が格納されていればよい。また，各動画像に対して各々異なる静止画像を表示させたい場合には，動画像に対応する数の静止画像を格納することができる。また，例えば，後続の動画像に関連する静止画像を表示したい場合には，当該動画像の初期画面や所望の動画像場面の静止画像を予め格納しておくことができる。
【００５９】
本実施形態においては，後続の動画像の再生準備が完了するまでの間，当該動画像に予め割り当てられた好適な静止画像が表示される。この結果，より効果的にユーザの不快感を解消することができる。
【００６０】
次に，図１１に基づいて，第２の実施の形態にかかる動画像再生方法について説明する。なお，図１１は，第２の実施の形態にかかる動画像再生方法を示すフローチャートである。
【００６１】
まず，ステップ２００で，ユーザの操作によりアプリケーションを起動して，先の動画像からなる動画像再生画面を表示する（ステップＳ２００）。本実施形態においては，動画像のリスト画面（図示せず）から所望の動画像画面を選択することにより，先の動画像を画面上に表示することができる。
【００６２】
なお，かかる動画像は，動画像データ読出手段２７０により動画データ記憶手段１５０から読み出されて，デコーダ２６０でデコードされた後，同期信号に同期して再生される。また，読み出した動画像データは，動画表示制御手段２８０により表示画面のサイズを合わせる処理が行われて，所定の表示位置に出力される。
【００６３】
次いで，ステップＳ２０２で，上記動画像が再生されている間に，ユーザにより左右ボタン２２８，ａ，ｂが押下される（ステップＳ２０２）。即ち，ユーザが，例えば，右ボタン２２８ｂを押下することにより，後続の動画像（例えば，世界の車紹介情報）に移行するための動画像変更命令がＣＰＵ２３０に通知される。なお，動画像切替手段２２８を操作するための操作手２１４として，キーボード，マウスなどを使用することができる。
【００６４】
その後，ステップＳ２０４で，ユーザにより右ボタン２２８ｂが押下された場合には，動画像表示領域２２４で再生されている動画像を停止して，予め登録されている静止画像を表示する（ステップＳ２０４）。このように，本実施形態においては，後続の動画像が表示されるまでの間，当該動画像に予め割り当てられた好適な静止画像が表示されるので，より効果的にユーザの不快感を解消することができる。このとき，例えば，全ての動画像に対して，同一の静止画を表示することができる他，各々の動画像に対して異なる静止画を表示させることもできる。また，例えば，後続の動画像に関連する静止画像を表示したい場合には，当該動画像の初期画面や所望の動画像場面の静止画像を表示することもできる。
【００６５】
一方，上記ステップＳ２０４と略同時に，ステップＳ２０６で，上記右ボタン２２８ｂにより指定された後続の動画像（例えば，世界の車紹介情報）の初期画面を用意する（ステップＳ２０６）。即ち，後続の動画像のデータが動画像データ記憶手段２５０から読み出されてデコーダ２６０によるデコードがおこなわれる。
【００６６】
上記ステップＳ２０４及び上記ステップＳ２０６の工程は，図１２に示すように，先の動画像（オリンピック紹介情報）は停止されて，所定の静止画像（例えば富士山の画像）が表示されると略同時に，後続の動画像（世界の車紹介情報）が準備される。なお，後続の動画像の画面は，理解を容易にするために，表示手段２２０の右側に示しているが，実際には後続の動画像の画面をデコードしている状態を表している。また，右ボタン２２８ｂを押下することにより，後続の動画像の画面が表示手段２２０の右側から挿入されることも示している。
【００６７】
さらに，ステップＳ２０８で，後続の動画像の初期画面の準備が終了したか否かが判断される（ステップＳ２０８）。まだ，後続の動画像の初期画面の準備が終了していないと判断される場合には，再度，ステップＳ２０８を繰り返す。
【００６８】
一方，後続の動画像の初期画面の準備が終了したと判断された場合には，ステップＳ２１０で，右ボタン２２８ｂで指定された指定方向（本実施形態においては，左方向）へ画面をスクロールさせる（ステップＳ２１０）。即ち，本実施形態においては，右ボタン２２８ｂを押下すると後続の画像が右側から挿入されるので，先の動画像は左方向にスクロールされる。本実施形態においては，所定の静止画像が表示された先の動画像の画面と後続の動画像の画面が隣り合って存在している状態から，先の動画像は，左側にスクロールして消滅し，後続の動画像は左側から右側に徐々に（例えば略１秒程度）で移動させる。
【００６９】
その後，ステップＳ２１２で，後続の動画像の再生コマンドを発行する（ステップＳ２１２）。即ち，後続の動画像の動画像再生を行うよう再生コマンドを発行して，実際に動画像が再生されるようになるまでの例えば数秒間は，初期画面のままの状態を保つ。
【００７０】
ステップＳ２１４で，後続の動画像の再生準備が完了したか否かが判断される（ステップＳ２１４）。即ち，後続の動画像の再生準備が整ったか否かを動画像再生タスクからの割り込んで判断することができる。また，そのような割り込みが用意されていない場合は，動画像切換命令があった後，動画像の再生準備が確実に終了していると考えられる所定時が経過したか否かを判断することができる。なお，かかる割り込み後または一定時間経過後に，静止画は消去される。
【００７１】
ステップＳ２１６で，後続の動画像の再生が開始される（ステップＳ２１６）。即ち，動画像の切り替えが完了すると，先の動画像の場合と同様に，動画像表示制御手段２８０により所定の表示位置にあわせて動画像を出力する。なお，静止画表示は最上層で行うようにしておけばこの静止画を取り除くことにより，その下層で再生可能となっている動画像画面を表示することができる。
【００７２】
本実施形態においては，後続の動画像が表示されるまでの間，当該動画像に予め割り当てられた好適な静止画像が表示される。この結果，より効果的にユーザの不快感を解消することができる。
【００７３】
（第３の実施の形態）
次に，図１３〜図１５に基づいて，第３の実施の形態にかかる動画像再生装置３０の構成について説明する。図１３は，第３の実施の形態にかかる動画像再生装置３０の構成を示すブロック図である。なお，本実施形態にかかる動画像再生装置３０は，第１の実施の形態にかかる動画像再生装置とは異なり，動画像の切り替え時には，先の動画像が停止された際の静止画像が画面上に表示される。
【００７４】
まず，図１３に示すように，本実施形態にかかる動画像再生装置３０は，動画像を提供する動画像提供サーバ装置（図示せず）との通信を制御する通信制御装置３１０，動画像提供サーバ装置から送信されたコンテンツ（動画像）を表示する表示手段（ディスプレイ）３２０，動画像再生装置３０の全体制御を実行するＣＰＵ３３０，動画像再生装置３０の各種操作をするための操作手段３４０，動画像サーバ装置から送信された動画像データを記憶するための動画像データ記憶手段３５０，動画像データをデコードするためのデコーダ３６０，動画像データを読み出すための動画像データ読出手段３７０，動画像の表示位置や大きさなどの各種制御を行うための動画像表示制御手段３８０，動画像が停止した際の静止画像を取得する静止画像取得手段３９０などから構成される。なお，通信制御装置３１０，表示手段（ディスプレイ）３２０，ＣＰＵ３３０，操作手段３４０，動画像データ記憶手段３５０，デコーダ３６０，動画像データ読出手段３７０，動画像表示制御手段３８０については，第１の実施の形態と同様なので，その説明は省略する。
【００７５】
本実施形態にかかる静止画像取得手段３９０は，停止した先の動画像を静止画像として取得する手段である。かかる取得した静止画像は，先の動画像から後続の動画像に切り替える際に動画像表示領域に表示される。
【００７６】
本実施形態においては，後続の動画像が表示されるまでの間，先の動画像が停止した状態からなる静止画像が表示される。この結果，より効果的にユーザの不快感を解消することができる。
【００７７】
次に，図１４に基づいて，第３の実施の形態にかかる動画像再生方法について説明する。なお，図１４は，第３の実施の形態にかかる動画像再生方法を示すフローチャートである。
【００７８】
まず，ステップ３００で，ユーザの操作によりアプリケーションを起動して，先の動画像からなる動画像再生画面を表示する（ステップＳ３００）。本実施形態においては，動画像のリスト画面（図示せず）から所望の動画像画面を選択することにより，先の動画像を画面上に表示することができる。
【００７９】
なお，かかる動画像は，動画像データ読出手段３７０により動画データ記憶手段３５０から読み出されて，デコーダ３６０でデコードされた後，同期信号に同期して再生される。また，読み出した動画像データは，動画表示制御手段３８０により表示画面のサイズを合わせる処理が行われて，所定の表示位置に出力される。
【００８０】
次いで，ステップＳ３０２で，上記動画像が再生されている間に，ユーザにより左右ボタン押下される（ステップＳ３０２）。即ち，ユーザが，例えば右ボタン３２８ｂを押下することにより，後続の動画像（例えば，世界の車の紹介画面）に移行するための動画像変更命令がＣＰＵ３３０に通知される。
【００８１】
その後，ステップＳ３０４で，ユーザにより右ボタン３２８ｂが押下された場合には，動画像表示領域３２４で再生されている動画像を停止して，静止画像取得手段３９０がその静止画像を取得し画面上に表示する（ステップＳ３０４）。このように，本実施形態においては，後続の動画像が表示されるまでの間，先の動画像から取得した静止画像が表示されるので，より効果的にユーザの不快感を解消することができる。
【００８２】
一方，上記ステップＳ３０４と略同時に，ステップＳ３０６で，上記右ボタン３２８ｂにより指定された後続の動画像（例えば，世界の車紹介情報）の初期画面を用意する（ステップＳ３０６）。即ち，後続の動画像のデータが動画像データ記憶手段３５０から読み出されてデコーダ３６０によりデコードがおこなわれる。
【００８３】
上記ステップＳ３０４及び上記ステップＳ３０６の工程は，図１５に示すように，先の雑誌画面における動画像（オリンピック紹介情報）は停止されて，その静止画像が画面上に表示されると略同時に，後続の動画像（世界の車紹介情報）が準備される。なお，後続の動画像の画面は，理解を容易にするために，表示手段３２０の右側に示しているが，実際には後続の動画像の画面をデコードしている状態を表している。また，右ボタン３２８ｂを押下することにより，後続の動画像の画面が表示手段３２０の右側から挿入されることも表している。
【００８４】
さらに，ステップＳ３０８で，後続の動画像の初期画面の準備が終了したか否かが判断される（ステップＳ３０８）。まだ，後続の動画像の初期画面の準備が終了していないと判断される場合には，再度，ステップＳ３０８を繰り返す。
【００８５】
一方，後続の動画像の初期画面の準備が終了したと判断された場合には，ステップＳ３１０で，右ボタン３２８ｂで指定された指定方向（本実施形態においては，左方向）へ画面をスクロールさせる（ステップＳ３１０）。即ち，本実施形態においては，右ボタン３２８ｂを押下すると後続の画像が右側から挿入されるので，先の動画像は左方向にスクロールされる。本実施形態においては，取得した静止画像が表示された先の動画像の画面と後続の動画像の画面が隣り合って存在している状態から，先の動画像は，左側にスクロールして消滅し，後続の動画像は左側から右側に徐々に（例えば略１秒程度）で移動させる。
【００８６】
その後，ステップＳ３１２で，後続の動画像の再生コマンドを発行する（ステップＳ３１２）。即ち，後続の動画像の動画像再生を行うよう再生コマンドを発行して，実際に動画像が再生されるようになるまでの数秒間は，初期画面のままの状態を保つ。なお，後続の動画像を準備する間には，先の動画像が停止されると共に静止画像が表示される。このことにより，先の動画像から，後続の動画像に切り替わるまでの間は，ＣＰＵの負荷を最小限に押さえながら，画面自体は動いているので，ユーザの不快感を解消することができる。
【００８７】
ステップＳ３１４で，後続の動画像の再生準備が完了したか否かが判断される（ステップＳ３１４）。即ち，後続の動画像の再生準備が整ったか否かを動画像再生タスクからの割り込みで判断することができる。また，そのような割り込みが用意されていない場合は，動画像切換命令があった後，再生準備が確実に終了していると考えられる所定時間が経過したか否かを判断することができる。なお，かかる割り込み後または一定時間経過後に，静止画は消去される。
【００８８】
ステップＳ３１６で，後続の動画像の再生が開始される（ステップＳ３１６）。即ち，動画像の切り替えが完了すると，先の動画像の場合と同様に，動画像表示制御手段３８０１により所定の表示位置にあわせて動画像を出力する。なお，静止画表示は最上層で行うようにしておけばこの静止画を取り除くことにより，その下層で再生可能となっている動画像画面を表示することができる。
【００８９】
本実施形態においては，後続の動画像が表示されるまでの間，先の動画像が停止した状態における静止画像が表示される。この結果，より効果的にユーザの不快感を解消することができる。
【００９０】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【００９１】
例えば，上記実施形態においては，動画像の切り替え時には，先の動画像を黒色にする構成を例に挙げて説明したが，かかる例には限定されない。他の色を採用することができる。なお，この場合には，第２の実施の形態にかかる静止画像と同様に取り扱いすることができる。
【００９２】
また，上記実施形態においては，動画像表示領域は，大きさを変えずに，あるいは画枠の同じ位置に固定した状態で移動する構成を例に挙げて説明したが，かかる例には限定されない。例えば，動画表示手段により，その大きさ，あるいは，動画の表示位置を変化させて，先の動画像あるいは後続の動画像を移動させることもできる。
【産業上の利用可能性】
【００９３】
本発明は，動画像再生装置，動画像再生方法等に適用可能であり，さらに詳細には，動画像を連続して切り替え可能な動画像再生装置等に適用可能である。
【図面の簡単な説明】
【００９４】
【図１】第１の実施の形態にかかる動画像再生装置１０の構成を示すブロック図である。
【図２】第１の実施の形態にかかる先の動画像の表示画面の一例を示す説明図である。
【図３】第１の実施の形態にかかる後続の動画像の表示画面の一例を示す説明図である。
【図４】第１の実施の形態にかかる動画像再生方法を示すフローチャートである。
【図５】第１の実施の形態にかかる先の動画像が表示画面に再生表示されている状態の一例を示す説明図である。
【図６】第１の実施の形態にかかる先の雑誌画面における動画像が徐々に黒くなると略同時に，後続の雑誌画面である動画像が準備される状態を示す説明図である。
【図７】第１の実施の形態にかかる先の動画像が左側にスクロールして消滅し，後続の動画像は右側から左側に徐々に移動している状態を示す説明図である。
【図８】第１の実施の形態にかかる後続の動画像が再生されるまで表示される初期画面を示す説明図である。
【図９】第１の実施の形態にかかる後続の動画像が再生される状態を示す説明図である。
【図１０】第２の実施の形態にかかる動画像再生装置の構成を示すブロック図である。
【図１１】第２の実施の形態にかかる動画像再生方法を示すフローチャートである。
【図１２】第２の実施の形態にかかる先の動画像が左側にスクロールして消滅し，後続の動画像は右側から左側に徐々に移動している状態を示す説明図である。
【図１３】第３の実施の形態にかかる動画像再生装置の構成を示すブロック図である。
【図１４】第３の実施の形態にかかる動画像再生方法を示すフローチャートである。
【図１５】第３の実施の形態にかかる先の動画像が左側にスクロールして消滅し，後続の動画像は右側から左側に徐々に移動している状態を示す説明図である。
【符号の説明】
【００９５】
１０  動画像再生装置
１１０  通信制御装置
１２０  表示手段（ディスプレイ）
１３０  ＣＰＵ
１４０  操作手段
１５０  動画像データ記憶手段
１６０  デコーダ
１７０  動画像データ読出手段
１８０  表示制御手段
２９０  静止画像記憶手段
３９０  静止画像取得手段
【図１】
2005351991.tif 000003
【図２】
2005351991.tif 000004
【図３】
2005351991.tif 000005
【図４】
2005351991.tif 000006
【図５】
2005351991.tif 000007
【図６】
2005351991.tif 000008
【図７】
2005351991.tif 000009
【図８】
2005351991.tif 000010
【図９】
2005351991.tif 000011
【図１０】
2005351991.tif 000012
【図１１】
2005351991.tif 000013
【図１２】
2005351991.tif 000014
【図１３】
2005351991.tif 000015
【図１４】
2005351991.tif 000016
【図１５】
2005351991.tif 000017